(57)【要約】【課題】  付勢力が作用する回動部材を少なくした構成が簡易なストロボ装置を提供することを目的とする。【解決手段】  係止レバー２７の係止部２７ｂがストロボ本体２１の被係止部２１ｂに係止してストロボ本体２１が装置本体の収納位置に収納されている状態にて、ソレノイド２６に通電されると、係止レバー２７による係止状態が解除されてストロボ本体２１が突出位置に回動突出する一方、突出位置にあるストロボ本体２１を押し下げて収納位置に収納する収納動作により、ストロボ本体２１の突起２１ａがスライド部材２３の当接部２３ａに当接することによって、スライド部材２３が、可動鉄心２６ａと一体のスライド部材押さえ部材２４を、可動鉄心２６ａがソレノイド２６に吸着される方向に移動させる。【選択図】  図１
2005275237.tif 000002
【特許請求の範囲】
【請求項１】
装置本体の収納位置と、前記装置本体から起立する起立位置と、に回動自在となるように前記装置本体に枢支され、かつ、スプリングにより起立方向に付勢されるストロボ本体と、
前記ストロボ本体の枢支点近傍に設けられる突起に接離自在な当接部を有して前記装置本体に摺動自在に設けられるスライド部材と、
前記スライド部材に沿う方向に相対移動自在に設けられるスライド部材押さえ部材と、
前記スライド部材とスライド部材押さえ部材との間に掛張される第１引っ張りスプリングと、
前記スライド部材押さえ部材に可動鉄心が固定されて前記装置本体に固定される自己保持型のソレノイドと、
前記装置本体に回動自在に設けられ、一端に形成された係止部が、前記ストロボ本体の開閉端側に設けられた被係止部に係脱自在に係止する係止レバーと、
前記係止レバーの他端と前記スライド部材押さえ部材との間に掛張される第２引っ張りスプリングと、を備え、
前記第２引っ張りスプリングの引っ張り付勢力を、前記第１引っ張りスプリングの引っ張り付勢力より強く設定し、前記係止レバーの係止部が前記ストロボ本体の被係止部に係止して前記ストロボ本体が前記装置本体の収納位置に収納されている状態にて、前記ソレノイドに通電されると、前記係止レバーによる係止状態が解除されて前記ストロボ本体が起立位置に回動起立する一方、起立位置にある前記ストロボ本体を手動的に押し下げて前記装置本体の収納位置に収納する収納動作により、前記ストロボ本体の突起が、前記スライド部材の当接部に当接することによって、前記スライド部材が、前記可動鉄心と一体の前記スライド部材押さえ部材を、前記可動鉄心が前記ソレノイドに吸着される方向に移動させることを特徴とするストロボ装置。
【発明の詳細な説明】
【技術分野】
【０００１】
本発明は、非使用時にはストロボ本体が装置本体に沿うように収納され、使用時にのみストロボ本体が起立するようにしたストロボ装置に関する。
【背景技術】
【０００２】
カメラ等に内蔵されるストロボ装置としては、例えば、図５〜図８に示されるように、非使用時にはストロボ本体は装置本体に沿うように収納され、使用時にのみストロボ本体が起立するように構成されたものが提案されている（例えば、特許文献１参照）。
【０００３】
この例では、図５に示すように、ストロボ本体１が収納状態にあるときに、ソレノイド（自己保持型）２に通電されると、可動部３を吸着させていた磁力がゼロとなり、バネ４の時計回りの回動付勢力で可動部３が左方向に突出する。
【０００４】
このとき、緊定レバー５の下部が可動部３に押されるため、緊定レバー５は、バネ６の引っ張り付勢力に抗して軸７を中心に時計回りに回動し、これにより、図６に示すように、ストロボ本体１の係合部８に対するレバー５上部のラッチが解除され、バネ９の回動付勢力によって、図７に示すように、ストロボ本体１が装置本体から回動起立する。
【０００５】
すると、図８に示すように、ストロボ本体１の下部に当接してバネ保持レバー４ａを押し下げていたピン１０がバネ４の回動付勢力によって上方に押し上げられるため、バネ保持レバー４ａはフリーになり、可動部３を左方向に押すバネ４の回動付勢力が消失する。
【０００６】
その結果、バネ６の引っ張り付勢力によって、緊定レバー５がバネ４の回動付勢力に抗して反時計回りに回動して、図８に示すような起立状態となり、このとき、可動部３が図示右方向に押されてソレノイド２の磁力に吸着（自己保持）される。
【０００７】
この状態で、ストロボ機能を使用し、使用後は、ストロボ本体１を手動的に押し下げることで、再び、図５に示す収納状態に復帰させることができる。
【特許文献１】特開２００３−２９１９８６号公報
【発明の開示】
【発明が解決しようとする課題】
【０００８】
上述の従来の構成では、緊定レバー５やバネ保持レバー４ａ等の付勢力が作用する回動部材が多く、かつ、バネ保持レバー４ａを下方に付勢するためのピン１０等も必要とされるため、部品点数が増え構成が複雑化して高価になるという難点があった。
【０００９】
しかも、ストロボ本体１を回動起立させたときに、可動部３をソレノイド２の磁力に吸着させるための図示左方向への移動動作が、バネ６とバネ４の引っ張り付勢力の差によって行われるため、バネ６とバネ４の付勢力の釣り合い条件を保つことが大変難しいという問題もあった。
【００１０】
本発明は、このような実情に鑑みてなされ、付勢力が作用する回動部材を少なくした構成が簡易なストロボ装置を提供することを目的とする。
【課題を解決するための手段】
【００１１】
本発明に係るストロボ装置は、上述の課題を解決するための手段を、以下のように構成している。
【００１２】
装置本体の収納位置と、前記装置本体から起立する起立位置と、に回動自在となるように前記装置本体に枢支され、かつ、スプリングにより起立方向に付勢されるストロボ本体と、前記ストロボ本体の枢支点近傍に設けられる突起に接離自在な当接部を有して前記装置本体に摺動自在に設けられるスライド部材と、前記スライド部材に沿う方向に相対移動自在に設けられるスライド部材押さえ部材と、前記スライド部材とスライド部材押さえ部材との間に掛張される第１引っ張りスプリングと、前記スライド部材押さえ部材に可動鉄心が固定されて前記装置本体に固定される自己保持型のソレノイドと、前記装置本体に回動自在に設けられ、一端に形成された係止部が、前記ストロボ本体の開閉端側に設けられた被係止部に係脱自在に係止する係止レバーと、前記係止レバーの他端と前記スライド部材押さえ部材との間に掛張される第２引っ張りスプリングと、を備え、前記第２引っ張りスプリングの引っ張り付勢力を、前記第１引っ張りスプリングの引っ張り付勢力より強く設定し、前記係止レバーの係止部が前記ストロボ本体の被係止部に係止して前記ストロボ本体が前記装置本体の収納位置に収納されている状態にて、前記ソレノイドに通電されると、前記係止レバーによる係止状態が解除されて前記ストロボ本体が起立位置に回動起立する一方、起立位置にある前記ストロボ本体を手動的に押し下げて前記装置本体の収納位置に収納する収納動作により、前記ストロボ本体の突起が、前記スライド部材の当接部に当接することによって、前記スライド部材が、前記可動鉄心と一体の前記スライド部材押さえ部材を、前記可動鉄心が前記ソレノイドに吸着される方向に移動させるように構成している。
【００１３】
このような構成によれば、係止レバーの係止部がストロボ本体の被係止部に係止してストロボ本体が装置本体の収納位置に収納されている状態にて、ソレノイドに通電されると、可動鉄心に対する磁力が消失し、第１引っ張りスプリングの引っ張り付勢力よりも大である第２引っ張りスプリングの引っ張り付勢力により、スライド部材押さえ部材が、可動鉄心と共に、該可動鉄心がソレノイドから離間する方向へ移動する。
【００１４】
すると、係止レバーの係止方向への付勢力が解除されるため、ストロボ本体の被係止部に対する係止レバーの係止状態が解除される一方、ストロボ本体の突起が、スライド部材の当接部から離間する。これにより、係止レバーはフリーな状態となって起立し、ストロボ本体が限度まで起立する。この状態で、ストロボ本体を使用することができる。
【００１５】
ストロボ本体を使用した後、起立位置にあるストロボ本体を押し下げて装置本体の収納位置に収納すると、その収納動作により、ストロボ本体の突起が、スライド部材の当接部に当接することによって、スライド部材とスライド部材押さえ部材が、可動鉄心をソレノイドに吸着させる方向に移動する。次いで、係止レバーによってストロボ本体が収納位置に係止され、初期状態に戻る。
【発明の効果】
【００１６】
本発明に係るストロボ装置は、互いに相対移動自在に摺動し合うスライド部材と、スライド部材押さえ部材と、の間に第１引っ張りスプリングを掛張し、かつ、そのスライド部材押さえ部材と、ストロボ本体を係止するための係止レバーと、の間に第２引っ張りスプリングを掛張し、その第２引っ張りスプリングの付勢力を、第１引っ張りスプリングの引っ張り付勢力より強く設定する簡易な構成としたので、付勢力が作用する回動部材が少なくなり、部品点数も少なくなるので、装置本体を薄くコンパクトに形成することができ、かつ、安価に提供することができる。
【００１７】
また、ストロボ本体を使用した後に、起立位置にあるストロボ本体を押し下げて装置本体の収納位置に収納する収納動作により、ストロボ本体の突起が、スライド部材の当接部に当接することによって、スライド部材が、可動鉄心と一体のスライド部材押さえ部材を、可動鉄心がソレノイドに吸着される方向に移動させるので、複雑な機構を介することなく、人の押し下げ力によって確実に可動鉄心をソレノイドに吸着させることができる。
【発明を実施するための最良の形態】
【００１８】
以下に、本発明の最良の実施の形態に係るストロボ装置について図面を参照しつつ詳細に説明する。
【００１９】
図１乃至図４はストロボ装置を示し、これらの図において、符号２１は、ストロボ本体で、装置本体の収納位置と、装置本体から起立する起立位置と、に回動自在となるように装置本体に枢支され、かつ、スプリング３０により図示の起立方向に付勢されている。２２は、装置本体に固定されるベース部材、２３は、ベース部材２２に摺動自在に設けられるスライド部材で、ストロボ本体２１の枢支点近傍に設けられる突起２１ａに接離自在な当接部２３ａを有する。
【００２０】
２４は、スライド部材２３に沿う方向にスライド部材２３と相対移動自在に設けられるスライド部材押さえ部材、２５は第１引っ張りスプリングで、スライド部材２３とスライド部材押さえ部材２４との間に掛張される。２６はベース部材２２に固定される自己保持型のソレノイドで、その可動鉄心２６ａがスライド部材押さえ部材２４に固定されている。
【００２１】
２７は係止レバーで、ベース部材２２に回動自在に設けられ、一端に形成された係止部２７ｂが、ストロボ本体２１の開閉端側に設けられた被係止部２１ｂに係脱自在に係止する一方、他端が、第２引っ張りスプリング２８を介して、スライド部材押さえ部材２４に接続されている。
【００２２】
このようなストロボ装置の起立・収納動作を説明する。図１に示すように、係止レバー２７の係止部２７ｂがストロボ本体２１の被係止部２１ｂに係止してストロボ本体２１が装置本体の収納位置に収納されている状態にて、ソレノイド２６に通電されると、可動鉄心２６ａに対する磁力が消失し、第２引っ張りスプリング２８の引っ張り付勢力が第１引っ張りスプリング２５の引っ張り付勢力よりも大であるため、スライド部材押さえ部材２４が、可動鉄心２６ａと共に図示左方向へ移動する。
【００２３】
すると、第２引っ張りスプリング２８による係止レバー２７の図示反時計回りの回動付勢力が解除される。このとき、スプリング３０のバネ力によりストロボ本体２１は被係止部２１ｂにて係止レバー２７の係止部２７ｂを押しのけるようになっている。したがって、係止レバー２７が図示時計回りに傾倒し、ストロボ本体２１の被係止部２１ｂに対する係止レバー２７の係止状態が解除される。一方、ストロボ本体２１の突起２１ａが、スライド部材２３の当接部２３ａから離間することにより、図３に示すように、係止レバー２７はフリーな状態となって起立するとともに、ストロボ本体２１が突出限界位置まで起立する。この状態が、ストロボ本体２１の実使用状態となる。
【００２４】
ストロボ本体２１を使用した後、図４に示すように、起立位置にある前記ストロボ本体２１を押し下げて前記装置本体の収納位置に収納すると、その収納動作により、前記ストロボ本体２１の突起２１ａが、スライド部材２３の当接部２３ａに当接することによって、前記スライド部材２３が、図示右方向に移動し、これに伴い、第１引っ張りスプリング２５を介して前記スライド部材押さえ部材２４も同方向に移動する。これにより、前記可動鉄心２６ａが前記ソレノイド２６に吸着される。次いで、ストロボ本体２１の被係止部２１ｂに当接した係止レバー２７が図示時計回りに回動した後、第２引っ張りスプリング２８の引っ張り力により
直ちに反時計回りに回動して、その係止部２７ｂがストロボ本体２１の被係止部２１ｂに係止して、図１の初期状態に戻る。
【００２５】
このように、本ストロボ装置は、互いに相対移動自在に摺動し合うスライド部材２３とスライド部材押さえ部材２４との間に第１引っ張りスプリング２５を掛張し、かつ、そのスライド部材押さえ部材２４と、ストロボ本体２１を係止するための係止レバー２７との間に第２引っ張りスプリング２８を掛張し、その第２引っ張りスプリング２８の付勢力を、第１引っ張りスプリング２５の引っ張り付勢力より強く設定する簡易な構成としたので、付勢力が作用する回動部材が少なくなり、部品点数も少なくなるので、装置本体を薄くコンパクトに形成することができ、かつ、安価に提供することができる。
【００２６】
また、ストロボ本体２１を使用した後に、起立位置にあるストロボ本体２１を押し下げて装置本体の収納位置に収納する収納動作により、ストロボ本体２１の突起２１ａが、スライド部材２３の当接部２３ａに当接することによって、スライド部材２３が、可動鉄心２６ａと一体のスライド部材押さえ部材２４を、可動鉄心２６ａがソレノイド２６に吸着される方向に移動させるので、複雑な機構を介することなく、人の押し下げ力によって確実に可動鉄心２６ａをソレノイド２６に吸着させることができる。
【産業上の利用可能性】
【００２７】
本発明にかかるストロボ装置は、付勢力が作用する回動部材を少なくし部品点数を少なくしたので、装置本体を薄くコンパクトに形成することができ、かつ、安価に提供することができるため、カメラ等の光学分野の中、特に、コンパクト型のカメラに有用である。
【００２８】
本発明にかかるストロボ装置は、付勢力が作用する回動部材を少なくし部品点数を少なくしたので、装置本体を薄くコンパクトに形成することができ、かつ、安価に提供することができるため、コンパクト化やコスト安が要求されるストロボ照明の技術分野に広く適用できる。
【図面の簡単な説明】
【００２９】
【図１】本発明の一実施形態に係るストロボ装置の初期状態の説明図
【図２】同ストロボ本体の係止状態を解除した状態の説明図
【図３】同ストロボ本体を起立させた状態の説明図
【図４】同ストロボ本体の収納直前の状態の説明図
【図５】従来のストロボ装置の初期状態の説明図
【図６】同ストロボ本体の係止状態を解除した状態の説明図
【図７】同ストロボ本体を起立させた状態の説明図
【図８】同ストロボ本体を収納する前の状態の説明図
【符号の説明】
【００３０】
２１  ストロボ本体
２１ａ  突起
２３  スライド部材
２３ａ  当接部
２４  スライド部材押さえ部材
２５  第１引っ張りスプリング
２６  ソレノイド
２６ａ  可動鉄心
２７  係止レバー
２８  第２引っ張りスプリング
【図１】
2005275237.tif 000003
【図２】
2005275237.tif 000004
【図３】
2005275237.tif 000005
【図４】
2005275237.tif 000006
【図５】
2005275237.tif 000007
【図６】
2005275237.tif 000008
【図７】
2005275237.tif 000009
【図８】
2005275237.tif 000010